(57)【要約】  デジタル直交（Ｃａｒｔｅｓｉａｎ）変調送信機において、Ｉ（Ｉｎ−ｐｈａｓｅ：同相）信号およびＱ（Ｑｕａｄｒａｔｕｒｅ：直交）信号から１ビット論理信号群を符号化器が発生させる。単一ビットのデジタル変調器が、直交Ｉ／Ｑ変調のために１ビット論理信号群を多重化する。多重化された１ビット論理信号を、ＤＵＣ（Ｄｉｇｉｔａｌ  ＵｐＣｏｎｖｅｒｔｅｒ：デジタル・アップコンバータ）がアップコンバートする。アップコンバートされた信号に基づき、ＤＰＡ（Ｄｉｇｉｔａｌ  Ｐｏｗｅｒ  Ａｍｐｌｉｆｉｅｒ：デジタル電力増幅器）がＲＦ（Ｒａｄｉｏ  Ｆｒｅｑｕｅｎｃｙ：無線周波数）信号を発生させる。デジタル極変調（ポーラ変調）送信器において、符号化器が振幅信号を第１の１ビット論理信号に変換する。デジタル位相変調器が、位相信号を使用して搬送波を変調し、第２の１ビット論理信号を発生させる。第２の１ビット論理信号を、ＤＵＣがアップコンバートする。第１の１ビット論理信号をＦＩＦＯ（Ｆｉｒｓｔ−Ｉｎ  Ｆｉｒｓｔ−Ｏｕｔ：先入れ先出し）メモリが格納する。結合器が、第２の１ビット論理信号中に含まれる角度情報を、ＦＩＦＯメモリ中に格納された第１の１ビット論理信号に含まれる振幅情報と結合する。結合された信号に基づき、ＤＰＡがＲＦ信号を発生させる。
2009530914.tif 000002
【特許請求の範囲】
【請求項１】
Ｉ（Ｉｎ−ｐｈａｓｅ：同相）信号およびＱ（Ｑｕａｄｒａｔｕｒｅ：直交）信号から１ビット論理信号群を発生させるための符号化器と、
直交（Ｃａｒｔｅｓｉａｎ）Ｉ／Ｑ変調のために前記１ビット論理信号群を多重化するためのＳＢＤＭ（Ｓｉｎｇｌｅ  Ｂｉｔ  Ｄｉｇｉｔａｌ  Ｍｏｄｕｌａｔｏｒ：単一ビット・デジタル変調器）と、
前記多重化された１ビット論理信号をアップコンバートし、アップコンバートされた信号を発生させるためのＤＵＣ（Ｄｉｇｉｔａｌ  ＵｐＣｏｎｖｅｒｔｅｒ：デジタル・アップコンバータ）と、
前記アップコンバートされた信号に基づき、ＲＦ（Ｒａｄｉｏ  Ｆｒｅｑｕｅｎｃｙ：無線周波数）信号を発生させるためのＤＰＡ（Ｄｉｇｉｔａｌ  Ｐｏｗｅｒ  Ａｍｐｌｉｆｉｅｒ：デジタル電力増幅器）と
を具備することを特徴とするデジタル送信機。
【請求項２】
モデムからのチャンネル選択コマンドに基づき、送信のための周波数チャンネルを選択するためのデジタル・チャンネル化ユニット
をさらに具備することを特徴とする請求項１に記載のデジタル送信機。
【請求項３】
前記符号化器が、デルタ変調器、シグマ・デルタ変調器、パルス幅変調器、パルス位置変調器、およびパルス持続時間変調器の内の１つであることを特徴とする請求項１に記載のデジタル送信機。
【請求項４】
前記符号化器が、モデムからのＴＰＣ（Ｔｒａｎｓｍｉｔ  Ｐｏｗｅｒ  Ｃｏｎｔｒｏｌ：送信電力制御）コマンドに基づき、ＴＰＣ機能を実施することを特徴とする請求項１に記載のデジタル送信機。
【請求項５】
前記ＤＵＣが、１ビット論理信号を出力することを特徴とする請求項１に記載のデジタル送信機。
【請求項６】
前記ＤＵＣが、１．５ビット論理信号を出力することを特徴とする請求項１に記載のデジタル送信機。
【請求項７】
前記ＳＢＤＭが、モデムからのチャンネル選択コマンドに基づき、チャンネル選択機能を実行することを特徴とする請求項１に記載のデジタル送信機。
【請求項８】
前記ＳＢＤＭが、前記１ビット論理信号群を多重化するための４対１多重化器であることを特徴とする請求項１に記載のデジタル送信機。
【請求項９】
前記符号化器が、前記１ビット論理信号群の正および反転された形態の両方を出力し、かつ前記４対１多重化器が、Ｉ、Ｑ、−Ｉ、−Ｑ信号の繰り返し順序を含む前記１ビット論理信号を出力することを特徴とする請求項８に記載のデジタル送信機。
【請求項１０】
前記ＤＵＣが、単側波帯処理装置であることを特徴とする請求項１に記載のデジタル送信機。
【請求項１１】
前記ＤＵＣが、両側波帯処理装置であることを特徴とする請求項１に記載のデジタル送信機。
【請求項１２】
前記ＤＵＣが、前記多重化された１ビット論理信号および刻時信号のＸＯＲ（ｅＸｃｌｕｓｉｖｅ  ＯＲ：排他的論理和）演算を実行するＸＯＲゲートであることを特徴とする請求項１１に記載のデジタル送信機。
【請求項１３】
前記ＤＵＣが、モデムからの電力制御コマンドに基づき、ＴＰＣ機能を実行することを特徴とする請求項１に記載のデジタル送信機。
【請求項１４】
前記ＤＰＡが、デジタル的に制御される複数の反転器を具備することを特徴とする請求項１に記載のデジタル送信機。
【請求項１５】
前記ＤＰＡが、１ビット論理演算を実施し、かつ前記アップコンバートされた信号の正および反転された形態がそれぞれ２つの反転器の各入力に適用されることを特徴とする請求項１４に記載のデジタル送信機。
【請求項１６】
前記ＤＰＡが、１．５ビット論理演算を実施し、かつ２つの反転器の両方の入力が、前記アップコンバートされた信号により駆動されることを特徴とする請求項１４に記載のデジタル送信機。
【請求項１７】
前記反転器への電圧供給が、前記ＤＰＡの利得を制御するように制御されることを特徴とする請求項１４に記載のデジタル送信機。
【請求項１８】
前記ＤＰＡが、モデムからの電力制御コマンドに基づき、電源制御機能を実行することを特徴とする請求項１に記載のデジタル送信機。
【請求項１９】
モデムから受信された振幅信号を第１の１ビット論理信号に変換するための符号化器と、
前記モデムから受信された位相信号を使用して搬送波を変調し、第２の１ビット論理信号を発生させるためのＤＰＭ（Ｄｉｇｉｔａｌ  Ｐｈａｓｅ  Ｍｏｄｕｌａｔｏｒ：デジタル位相変調器）と、
前記第２の１ビット論理信号をアップコンバートするためのＤＵＣ（Ｄｉｇｉｔａｌ  ＵｐＣｏｎｖｅｒｔｅｒ：デジタル・アップコンバータ）と、
前記第１の１ビット論理信号を格納し、かつ前記符号化器によって処理された前記振幅信号を前記ＤＰＭおよび前記ＤＵＣによって処理された前記位相信号と整合させるためのＦＩＦＯ（Ｆｉｒｓｔ−Ｉｎ  Ｆｉｒｓｔ−Ｏｕｔ：先入れ先出し）メモリと、
前記第２の１ビット論理信号中に含まれる角度情報を、前記ＦＩＦＯメモリ中に格納された前記第１の１ビット論理信号中に含まれる振幅情報と結合し、かつ結合された信号を出力するための、振幅および位相結合器と、
前記結合された信号に基づき、ＲＦ（Ｒａｄｉｏ  Ｆｒｅｑｕｅｎｃｙ：無線周波数）信号を発生させるためのＤＰＡ（Ｄｉｇｉｔａｌ  Ｐｏｗｅｒ  Ａｍｐｌｉｆｉｅｒ：デジタル電力増幅器）と
を具備することを特徴とするデジタル送信機。
【請求項２０】
前記ＤＰＭが、前記モデムからのチャンネル選択コマンドに基づき、チャンネル選択機能を実行し、特定のチャンネル周波数を選択することを特徴とする請求項１９に記載のデジタル送信機。
【請求項２１】
前記ＤＰＭが、ＤＤＳ（Ｄｉｒｅｃｔ  Ｄｉｇｉｔａｌ  Ｓｙｎｔｈｅｓｉｚｅｒ：直接デジタル合成器）およびＰＬＬ（Ｐｈａｓｅ  Ｌｏｃｋｅｄ  Ｌｏｏｐ：位相同期回路）／ＶＣＯ（Ｖｏｌｔａｇｅ  Ｃｏｎｔｒｏｌｌｅｄ  Ｏｓｃｉｌｌａｔｏｒ：電圧制御発振器）の１つであることを特徴とする請求項１９に記載のデジタル送信機。
【請求項２２】
前記符号化器が、デルタ変調器、シグマ・デルタ変調器、パルス幅変調器、パルス位置変調器、およびパルス持続時間変調器の１つであることを特徴とする請求項１９に記載のデジタル送信機。
【請求項２３】
前記符号化器が、前記モデムからのＴＰＣ（Ｔｒａｎｓｍｉｔ  Ｐｏｗｅｒ  Ｃｏｎｔｒｏｌ：送信電力制御）コマンドに基づき、ＴＰＣ機能を実施することを特徴とする請求項１９に記載のデジタル送信機。
【請求項２４】
前記ＤＵＣが、１ビット論理信号を出力することを特徴とする請求項１９に記載のデジタル送信機。
【請求項２５】
前記ＤＵＣが、単側波帯処理装置であることを特徴とする請求項１９に記載のデジタル送信機。
【請求項２６】
前記ＤＵＣが、両側波帯処理装置であることを特徴とする請求項１９に記載のデジタル送信機。
【請求項２７】
前記ＤＵＣが、位相変調された搬送波信号および刻時信号のＸＯＲ（ｅＸｃｌｕｓｉｖｅ  ＯＲ：排他的論理和）演算を実行するＸＯＲゲートであることを特徴とする請求項２６に記載のデジタル送信機。
【請求項２８】
前記ＤＵＣが、前記モデムからの電力制御コマンドに基づき、ＴＰＣ機能を実行することを特徴とする請求項１９に記載のデジタル送信機。
【請求項２９】
前記ＤＰＡが、デジタル的に制御される複数の反転器を具備することを特徴とする請求項１９に記載のデジタル送信機。
【請求項３０】
前記ＤＰＡが１ビット論理演算を実施し、かつ前記アップコンバートされた信号の正および反転された形態がそれぞれ２つの反転器の各入力に適用されることを特徴とする請求項２９に記載のデジタル送信機。
【請求項３１】
前記ＤＰＡが、１．５ビット論理演算を実施し、かつ２つの反転器の両方の入力が、前記アップコンバートされた信号により駆動されることを特徴とする請求項２９に記載のデジタル送信機。
【請求項３２】
前記反転器への電圧供給が、前記ＤＰＡの利得を制御するように制御されることを特徴とする請求項２９に記載のデジタル送信機。
【請求項３３】
前記ＤＰＡが、モデムからの電力制御コマンドに基づき、電源制御機能を実行することを特徴とする請求項１９に記載のデジタル送信機。
【請求項３４】
前記振幅および位相結合器が、１ビット乗算器、ＸＯＲ（ｅＸｃｌｕｓｉｖｅ  ＯＲ：排他的論理和）ゲート、および多重化器の１つであることを特徴とする請求項１９に記載のデジタル送信機。
【請求項３５】
モデムから受信された振幅信号を第１の１ビット論理信号に変換するための符号化器と、
前記モデムから受信された位相信号を使用して搬送波を変調し、第２の１ビット論理信号を発生させるためのＤＰＭ（Ｄｉｇｉｔａｌ  Ｐｈａｓｅ  Ｍｏｄｕｌａｔｏｒ：デジタル位相変調器）と、
前記第１の１ビット論理信号を格納し、かつ前記符号化器によって処理された前記振幅信号を前記ＤＰＭによって処理された前記位相信号と整合させるためのＦＩＦＯ（Ｆｉｒｓｔ−Ｉｎ  Ｆｉｒｓｔ−Ｏｕｔ：先入れ先出し）メモリと、
前記第２の１ビット論理信号中に含まれる角度情報を、前記ＦＩＦＯメモリ中に格納された前記第１の１ビット論理信号中に含まれる振幅情報と結合し、かつ結合された信号を出力するための、振幅および位相結合器と、
前記結合された信号をアップコンバートするためのＤＵＣ（Ｄｉｇｉｔａｌ  ＵｐＣｏｎｖｅｒｔｅｒ：デジタル・アップコンバータ）と、
前記アップコンバートされた結合された信号に基づき、ＲＦ（Ｒａｄｉｏ  Ｆｒｅｑｕｅｎｃｙ：無線周波数）信号を発生させるためのＤＰＡ（Ｄｉｇｉｔａｌ  Ｐｏｗｅｒ  Ａｍｐｌｉｆｉｅｒ：デジタル電力増幅器）と
を具備することを特徴とするデジタル送信機。
【請求項３６】
Ｉ（Ｉｎ−ｐｈａｓｅ：同相）信号およびＱ（Ｑｕａｄｒａｔｕｒｅ：直交）信号から１ビット論理信号群を発生させるステップと、
直交（Ｃａｒｔｅｓｉａｎ）Ｉ／Ｑ変調のために前記１ビット論理信号群を多重化するステップと、
前記多重化された１ビット論理信号をアップコンバートし、アップコンバートされた信号を発生させるステップと、
前記アップコンバートされた信号に基づき、ＲＦ（Ｒａｄｉｏ  Ｆｒｅｑｕｅｎｃｙ：無線周波数）信号を発生させるステップと
を具備することを特徴とするデジタル送信機により信号を送信するための方法。
【請求項３７】
モデムからのチャンネル選択コマンドに基づき、送信のための周波数チャンネルを選択するステップ
をさらに具備することを特徴とする請求項３６に記載の方法。
【請求項３８】
前記１ビットの信号群が多重化される間に、前記周波数チャンネルが選択されることを特徴とする請求項３７に記載の方法。
【請求項３９】
前記１ビットの信号群が発生される前に、前記周波数チャンネルが選択されることを特徴とする請求項３７に記載の方法。
【請求項４０】
モデムからのＴＰＣ（Ｔｒａｎｓｍｉｔ  Ｐｏｗｅｒ  Ｃｏｎｔｒｏｌ：送信電力制御）コマンドに基づき、ＴＰＣ機能を実行するステップ
をさらに具備することを特徴とする請求項３６に記載の方法。
【請求項４１】
前記１ビット論理信号群が発生される間に、前記ＴＰＣ機能が実行されることを特徴とする請求項４０に記載の方法。
【請求項４２】
前記多重化された１ビット論理信号がアップコンバートされる間に、前記ＴＰＣ機能が実行されることを特徴とする請求項４０に記載の方法。
【請求項４３】
前記ＲＦ信号が発生される間に、前記ＴＰＣ機能が実行されることを特徴とする請求項４０に記載の方法。
【請求項４４】
モデムから受信された振幅信号を第１の１ビット論理信号に変換するステップと、
前記モデムから受信された位相信号を使用して搬送波を変調し、第２の１ビット論理信号を発生させるステップと、
前記第２の１ビット論理信号をアップコンバートするステップと、
前記振幅信号を前記位相信号に整合させるために、ＦＩＦＯ（Ｆｉｒｓｔ−Ｉｎ  Ｆｉｒｓｔ−Ｏｕｔ：先入れ先出し）メモリ中に前記第１の１ビット論理信号を格納するステップと、
前記第２の１ビット論理信号中に含まれる角度情報を、前記ＦＩＦＯメモリ中に格納された前記第１の１ビット論理信号中に含まれる振幅情報と結合し、結合された信号を発生させるステップと、
前記結合された信号に基づき、ＲＦ（Ｒａｄｉｏ  Ｆｒｅｑｕｅｎｃｙ：無線周波数）信号を発生させるステップと
を具備することを特徴とするデジタル送信機により信号を送信するための方法。
【請求項４５】
前記搬送波を変調している間に、前記モデムからのチャンネル選択コマンドに基づき、チャンネル選択機能を実行し特定のチャンネル周波数を選択するステップ
をさらに具備することを特徴とする請求項４４に記載の方法。
【請求項４６】
前記モデムからのＴＰＣ（Ｔｒａｎｓｍｉｔ  Ｐｏｗｅｒ  Ｃｏｎｔｒｏｌ：送信電力制御）コマンドに基づき、ＴＰＣ機能を実行するステップ
をさらに具備することを特徴とする請求項４４に記載の方法。
【請求項４７】
前記第１の１ビット論理信号が発生される間に、前記ＴＰＣ機能が実行されることを特徴とする請求項４６に記載の方法。
【請求項４８】
前記ＲＦ信号が発生される間に、前記ＴＰＣ機能が実行されることを特徴とする請求項４６に記載の方法。
【請求項４９】
モデムから受信された振幅信号を第１の１ビット論理信号に変換するステップと、
前記モデムから受信された位相信号を使用して搬送波を変調し、第２の１ビット論理信号を発生させるステップと、
前記第１の１ビット論理信号を格納し、かつ前記振幅信号を前記位相信号に整合させるステップと、
前記第２の１ビット論理信号中に含まれる角度情報を、前記第１の１ビット論理信号中に含まれる振幅情報と結合し、かつ結合された信号を出力するステップと
前記結合された信号をアップコンバートするステップと、
前記アップコンバートされた結合された信号に基づき、ＲＦ（Ｒａｄｉｏ  Ｆｒｅｑｕｅｎｃｙ：無線周波数）信号を発生させるステップと
を具備することを特徴とするデジタル送信機により信号を送信するための方法。
【発明の詳細な説明】
【技術分野】
【０００１】
本発明は無線通信システムに関する。より詳細には、本発明はデジタル送信機に関する。
【背景技術】
【０００２】
図１Ａ〜図１Ｇに示されるように、多くの異なった型の無線送信機が開発されてきた。従来の送信機は、送信機が増幅する信号の性質に依って、定包絡線（ｃｏｎｓｔａｎｔ  ｅｎｖｅｌｏｐ）送信機または非定包絡線（ｎｏｎ−ｃｏｎｓｔａｎｔ  ｅｎｖｅｌｏｐ）送信機に分類することができる。図１Ａ〜図１Ｇに示された従来の送信機は、アナログおよび／またはデジタル技術を用いて信号を発生させる。
【０００３】
図１Ａは、従来のアナログ直交（Ｃａｒｔｅｓｉａｎ）変調の、直接変換送信機１１０を示す。送信機１１０は、定包絡線および非定包絡線信号の両方を増幅することができる。送信機１１０は、アナログのＩ（Ｉｎ−ｐｈａｓｅ：同相）／Ｑ（Ｑｕａｄｒａｔｕｒｅ：直交）変調器を用いる。定包絡線信号を増幅する場合には、効率的なＢ級電力増幅器を使用でき、そして非定包絡線信号を増幅する場合には、ＡＢ級電力増幅器を用いることができる。モデム１１１により出力されるＩおよびＱ要素は、ＤＡＣ（Ｄｉｇｉｔａｌ−ｔｏ−Ａｎａｌｏｇ  Ｃｏｎｖｅｒｔｅｒ：ＤＡ変換器）１１２によってＩおよびＱアナログ信号に変換される。ＩおよびＱアナログ信号は、混合器（ｍｉｘｅｒ）１１３によってアップコンバートされる。アップコンバートされたＩおよびＱ信号は、ＶＧＡ（Ｖａｒｉａｂｌｅ  Ｇａｉｎ  Ａｍｐｌｉｆｉｅｒ：可変利得増幅器）１１４およびＰＡ（Ｐｏｗｅｒ  Ａｍｐｌｉｆｉｅｒ：電力増幅器）１１５によって結合されかつ増幅される。ＶＧＡ１１４にて、ＴＰＣ（Ｔｒａｎｓｍｉｔ  Ｐｏｗｅｒ  Ｃｏｎｔｒｏｌ：送信電力制御）を実行することができる。ＰＡ１１５による増幅された信号出力は、フィルタ１１６によってフィルタされ、そして送信される。
【０００４】
図１Ｂは、従来の定包絡線の、アナログ極変調（ポーラ変調）送信機１２０を示す。増幅される信号が定包絡線信号であるため、信号の極表現において角度情報のみが必要となる。モデム１２１からの角度情報は、ＤＡＣ１２２によってアナログの角度信号に変換される。アナログの角度信号は、ＰＬＬ（Ｐｈａｓｅ  Ｌｏｃｋｅｄ  Ｌｏｏｐ：位相同期回路）１２３を通してＶＣＯ（Ｖｏｌｔａｇｅ  Ｃｏｎｔｒｏｌｌｅｄ  Ｏｓｃｉｌｌａｔｏｒ：電圧制御発振器）１２４を変調するために使用される。ＶＣＯ１２４の変調された出力は次に、ＰＡ１２５（例えばＢ級ＰＡ）によって増幅される。ＰＡ１２５のコレクタまたはドレインの電圧を変えることにより、ＴＰＣを実施することができる。ＰＡ１２５による増幅された信号出力は、フィルタ１２６によってフィルタされ、そして送信される。
【０００５】
図１Ｃは、従来の定包絡線の、デジタル極変調送信機１３０を示す。モデム１３１からの角度情報は、ＮＣＯ（Ｎｕｍｅｒｉｃａｌｌｙ  Ｃｏｎｔｒｏｌｌｅｄ  Ｏｓｃｉｌｌａｔｏｒ：数値制御発振器）１３２を変調するために使用される。ＮＣＯ１３２の複数ビット出力は次に、ＴＰＣユニット１３３へ供給される。ＴＰＣユニット１３３の複数ビット出力は次に、大電力ＤＡＣ１３４を駆動するために使用される。ＤＡＣ１３４は、ＰＡとして使用される。追加ＴＰＣの機能性を実施するためにＤＡＣの基準電圧を使用することができる。ＤＡＣ１３４により増幅された信号出力は、フィルタ１３５によってフィルタされ、そして送信される。
【０００６】
図１Ｄは、従来の非定包絡線の、アナログ極変調送信機１４０を示す。この送信機１４０は、ＥＥＲ（Ｅｎｖｅｌｏｐｅ  Ｅｌｉｍｉｎａｔｉｏｎ  ａｎｄ  Ｒｅｓｔｏｒａｔｉｏｎ：包絡線除去および復元）送信機として一般に知られている。送信機１４０において、２つの信号チャンネル、主チャンネルおよび補助チャンネル、が形成される。角度および振幅情報の両方を含む信号を形成するために、主チャンネルにおいてはアナログのＩ／Ｑ変調器が使用される。モデム１４１により出力される信号のＩおよびＱ要素が、ＤＡＣ群１４２によってＩおよびＱアナログ信号に変換される。ＩおよびＱアナログ信号は、混合器１４３によってアップコンバートされる。アップコンバートされたＩおよびＱ信号は結合され、そして制限器（ｌｉｍｉｔｅｒ）１４４を通過し、ここで振幅情報が除去される。制限器１４４の出力にては、角度情報のみが保有される。制限器１４４の出力は次に、ＴＰＣユニット１４５を通過し、そしてＰＡ１４６（例えばＡＢ級ＰＡ）に供給される。
【０００７】
信号の振幅情報は、補助チャンネルを通して伝達される。ＩおよびＱ要素は、包絡線検出器１４７に供給される。包絡線検出器１４７の出力は、信号の振幅情報のみを保有する。振幅情報は次に、ＤＡＣ１４８によりアナログ形式に変換され、そしてＰＡ１４６にて（すなわちＰＡのコレクタまたはドレインにて）角度情報と結合される。結合された信号は、フィルタ１４９によってフィルタされ、そして送信される。
【０００８】
図１Ｅは、従来の非定包絡線の、アナログ極変調送信機１５０を示す。モデム１５１からの角度情報は、ＤＡＣ１５２ａによりアナログ信号に変換され、ＰＬＬ１５３を通してＶＣＯ１５４を変調する。変調されたＶＣＯ出力は次に、ＴＰＣユニット１５５を通過する。ＴＰＣユニット１５５の出力は、ＰＡ１５６（例えばＡＢ級ＰＡ）を駆動する。モデム１５１からの振幅情報は、ＤＡＣ１５２ｂによりアナログ形式に変換され、かつＰＡ１５６にて（すなわちＰＡのコレクタまたはドレインにて）角度情報と結合される。結合された信号は、フィルタ１５７によってフィルタされ、そして送信される。
【０００９】
図１Ｆは、従来の非定包絡線の、デジタル直交変調送信機１６０を示す。モデム１６１は、信号のＩおよびＱ要素を出力する。ＴＰＣの機能性のために、乗算器１６２によりＩおよびＱ要素を減衰させることができる。Ｉ／Ｑ変調器として、４対１多重化器１６３が使用される。ＩおよびＱ要素の正の形態および反転された形態の両方が、多重化器１６３に入力される。多重化器１６３は、Ｉ、Ｑ、−Ｉ、−Ｑ（または他の順序）の繰り返しパターンが結果として出力に生じるような方法にて、４つの入力信号の１つを出力に順番に通過させる。多重化器１６３の複数ビット出力は次に、ＤＡＣ１６４によってアナログ形式に変換される。ＤＡＣ１６４はＰＡとして使用される。追加ＴＰＣの機能性を実施するためにＤＡＣの基準電圧を使用することができる。増幅された信号は、フィルタ１６５によってフィルタされ、そして送信される。米国特許番号５，１０１，４１８もまた、デジタル直交周波数アップコンバータを含む送信機を開示する。
【００１０】
図１Ｇは、従来の非定包絡線の、デジタル極変調送信機１７０を示す。モデム１７１からの角度情報は、ＮＣＯ１７３を変調するために使用される。ＮＣＯ１７３の複数ビット出力は次に、ＴＰＣユニット１７４を通して供給される。ＴＰＣユニット１７４の複数ビット出力は次に、大電力ＤＡＣ１７５を駆動するために使用される。モデム１７１からの振幅情報は、ＤＡＣ１７２によりアナログ形式に変換され、かつＤＡＣ１７５にて（すなわちＤＡＣの基準電圧入力にて）角度情報と結合される。ＤＡＣ１７５はＰＡとして使用される。増幅された信号はフィルタ１７６によりフィルタされ、そして送信される。
【発明の開示】
【発明が解決しようとする課題】
【００１１】
以上開示されたものなどの従来の送信機は、非定包絡線信号に対して必要なものより低い電力効率しか供給しない。従来の送信機はしばしば、再現性性能を達成することが高コストになるアナログ回路技術を利用する。アナログ回路技術に基づく従来の送信機は、デジタル回路と比較して雑音余裕度（ｎｏｉｓｅ  ｉｍｍｕｎｉｔｙ）が低く、したがって、モデム・チップと共に集積することが難しい。
【課題を解決するための手段】
【００１２】
本発明は、デジタル送信機に関する。一実施形態において、デジタル直交（Ｃａｒｔｅｓｉａｎ）変調送信機が、符号化器、ＳＢＤＭ（Ｓｉｎｇｌｅ  Ｂｉｔ  Ｄｉｇｉｔａｌ  Ｍｏｄｕｌａｔｏｒ：単一ビット・デジタル変調器）、ＤＵＣ（Ｄｉｇｉｔａｌ  ＵｐＣｏｎｖｅｒｔｅｒ：デジタル・アップコンバータ）、およびＤＰＡ（Ｄｉｇｉｔａｌ  Ｐｏｗｅｒ  Ａｍｐｌｉｆｉｅｒ：デジタル電力増幅器）を含む。符号化器は、モデムからのＩおよびＱ信号から１ビット論理信号群を発生させる。１ビット論理信号群を直交Ｉ／Ｑ変調のためにＳＢＤＭが多重化する。多重化された１ビット論理信号をＤＵＣがアップコンバートする。アップコンバートされた信号に基づき、ＤＰＡがＲＦ（Ｒａｄｉｏ  Ｆｒｅｑｕｅｎｃｙ：無線周波数）信号を発生させる。
【００１３】
別の実施形態においては、デジタル極変調送信機が、符号化器、ＤＰＭ（Ｄｉｇｉｔａｌ  Ｐｈａｓｅ  Ｍｏｄｕｌａｔｏｒ：デジタル位相変調器）、ＤＵＣ、ＦＩＦＯ（Ｆｉｒｓｔ−Ｉｎ  Ｆｉｒｓｔ−Ｏｕｔ：先入れ先出し）メモリ、結合器、およびＤＰＡを含む。符号化器は、モデムから受信された振幅信号を第１の１ビット論理信号に変換する。ＤＰＭは、モデムから受信された位相信号を使用して搬送波を変調し、第２の１ビット論理信号を発生させる。第２の１ビット論理信号をＤＵＣがアップコンバートする。ＦＩＦＯメモリは、第１の１ビット論理信号を格納し、かつ符号化器により処理された振幅信号をＤＰＭおよびＤＵＣによって処理された位相信号と整合させる。結合器は、第２の１ビット論理信号に含まれる角度情報を、ＦＩＦＯメモリにおいて格納された第１の１ビット論理信号中に含まれる振幅情報と結合し、かつ結合された信号を出力する。結合された信号に基づき、ＤＰＡがＲＦ信号を発生させる。
【００１４】
例として与えられ、かつ付加された図面に関連して理解されるべき、好適な実施例の以下の記述から、本発明のより詳細な理解を得ることができる。
【発明を実施するための最良の形態】
【００１５】
本発明は、デジタル信号発生（ｍｏｄｕｌａｔｉｏｎ：変調）の方法および標準的デジタル回路技術を用い、無線周波数送信機機能ブロックを実施する。本発明の送信機は、上で記述された従来の送信機と比較して、電力効率が良く、形状が小さく、コスト競争力があり、複雑さが削減され、かつ再現性性能が良い。
【００１６】
図２は、本発明による送信機２００の機能的ブロック図である。送信機２００は、チャンネル選択ユニット２０２、符号化器２０４、変調器２０６、ＤＵＣ２０８、およびＰＡ２１０を含む。これらの構成要素のそれぞれは、以下に詳細に説明されることになる。送信機２００の構成要素の順序は変更することができ、かつ構成要素によって実行される機能は、より多くのまたは少ない構成要素により、または１つの構成要素に結合されて、実行することができることに注意するべきである。例えば、チャンネル選択ユニット２０２を変調器２０６に組み込むことができる。送信機２００は、モデム（示されない）から複数ビットのデジタル入力を受信し、そして１ビット（または１．５ビット）のデジタル論理信号出力を出力する。送信機２００は、直交および極表現の両方の入力を扱うことができる。ＤＵＣ２０８は、両側波帯（ｄｏｕｂｌｅ  ｓｉｄｅｂａｎｄ）または単側波帯（ｓｉｎｇｌｅ  ｓｉｄｅｂａｎｄ）を扱うことができる。
【００１７】
図３は、本発明によるデジタル直交変調送信機３００のブロック図である。送信機３００は、モデム（示されない）からの複数ビットのＩおよびＱ信号３０１ａ、３０１ｂを受信し、そして１ビット（または１．５ビット）のデジタル論理信号３１１を、アンテナ３１４に接続されるフィルタ３１２に出力する。送信機３００は、定包絡線または非定包絡線信号を増幅することができ、そして全て標準のデジタル回路から構築することができる。
【００１８】
送信機３００は、デジタル・チャンネル化ユニット３０２、符号化器３０４ａ、３０４ｂ、ＳＢＤＭ３０６、ＤＵＣ３０８、およびＤＰＡ３１０を含む。デジタル・チャンネル化ユニット３０２は、モデム（示されない）から複数ビットのデジタルのＩおよびＱ信号を受信する。デジタル・チャンネル化ユニット３０２は、モデムからのコマンドに基づき、周波数チャンネルを選択し信号を送信する。チャンネル化ユニット３０２は、複素数乗数器、加算器、移相器、およびＮＣＯを含み、そしてベースバンドのチャンネル化を実行する。
【００１９】
チャンネル化ユニット３０２の出力３０３ａ、３０３ｂは次に、符号化器３０４ａ、３０４ｂに供給される。符号化器３０４ａ、３０４ｂは、複数ビットの入力信号を高速の１ビット論理信号群に変換する。符号化器３０４ａ、３０４ｂは、デルタ変調器、シグマ・デルタ変調器、パルス幅変調器、パルス位置変調器、パルス持続時間変調器、または何れの型の変調器であってもよい。符号化器３０４ａ、３０４ｂは随意的に、モデムからのＴＰＣコマンドに基づき、ＴＰＣ機能を実行することができる。
【００２０】
符号化器３０４ａ、３０４ｂからの１ビット論理信号３０５ａ、３０５ｂは、ＳＢＤＭ３０６に供給される。ＳＢＤＭ３０６は、直交Ｉ／Ｑ変調器として機能する。ＳＢＤＭ３０６は随意的に、モデムからのチャンネル選択コマンドに基づき、チャンネル選択機能を実行することができる。
【００２１】
図４は、本発明による図３の送信機の代表的ＳＢＤＭ３０６を示す。図３および図４を参照して、４対１多重化器４００が、直交Ｉ／Ｑ変調器として使用される。一実施形態によると、送信機３００の２つの符号化器３０４ａおよび３０４ｂはそれぞれＩおよびＱ信号を出力し、そしてＩおよびＱ信号の反転された形態が反転器（図３には示されない）により発生される（すなわち、符号化器３０４ａがＩ信号を出力し、かつそのＩ信号が反転器（図３には示されない）によって反転され、さらに符号化器３０４ｂがＱ信号を出力し、かつそのＱ信号が反転器（図３には示されない）によって反転される）。Ｉ、Ｑ、−Ｉ、−Ｑの信号はそれぞれ、多重化器４００の入力（入力０、入力ｌ、入力２、入力３）に供給される。多重化器４００の制御入力ｃ０、ｃ１に制御論理４０４を介して、Ｉ、Ｑ、−Ｉ、−Ｑ（あるいはまたＱ、Ｉ、−Ｑ、−Ｉの、または他の順序）の繰り返し順序で多重化器４００から出力されるような方法にて、刻時信号４０２が入力される。図４の多重化器４００は代表的ＳＢＤＭとして提供されたものであり、そしてＳＢＤＭの他の如何なる実施方法も可能であるということに注意するべきである。
【００２２】
あるいはまた送信機３００において、４つの符号化器を設け、そしてその４つの符号化器がモデムから複数ビットのＩ、Ｑ、−Ｉ、および−Ｑ信号をそれぞれ受信し、そして符号化された１ビットの論理Ｉ、Ｑ、−Ｉ、および−Ｑ信号を多重化器４００に出力することができる。
【００２３】
図３を参照すると、ＳＢＤＭ３０６からの１ビット論理信号３０７は次に、ＤＵＣ３０８に供給される。ＤＵＣ３０８は、ＳＢＤＭ３０６からの１ビット論理信号３０７を高周波数信号３０９（１ビットまたは１．５ビット論理信号）にアップコンバートする。ＤＵＣ３０８は、イメージ抑制（ｉｍａｇｅ  ｓｕｐｐｒｅｓｓｉｎｇ）（すなわち単側波帯）、または非イメージ抑制（すなわち、両側波帯）の何れかとして分類することができる。ＤＵＣ３０８は随意的に、モデムからの電力制御コマンドに基づき、ＴＰＣ機能を実行することができる。
【００２４】
図５は、本発明による代表的ＤＵＣ５００を示す。図３および図５を参照して、ＸＯＲ（ｅＸｃｌｕｓｉｖｅ  ＯＲ：排他的論理和）ゲート５００は両側波帯ＤＵＣの最も簡単な実施方法である。ＳＢＤＭ３０６からの出力５０２および刻時信号５０４はＸＯＲゲート５００の２つの入力に入力され、排他的論理和信号５０６を発生させる。
【００２５】
図３に示されたように、アップコンバートされたＤＵＣ３０８からの１ビット（または１．５ビット）論理信号３０９は次に、ＤＰＡ３１０を駆動するために使用される。ＤＵＣ３０８からのアップコンバートされた信号３０９に基づき、ＤＰＡ３１０は１ビット（または１．５ビット）のＲＦ信号３１１を発生させる。ＤＰＡ３１０は、論理ゲート、多重化器のような刻時制御の論理素子、切替器、または切替器形態のアナログ増幅器から構築することができる。
【００２６】
図６は、本発明による代表的ＤＰＡ６００を示す。この例においては、ＤＰＡ６００は複数の反転器６０２ａ、６０２ｂを用いて実施される。１ビットの論理演算においては、ＤＵＣ３０８からのアップコンバートされた信号３０９の正および反転された形態がそれぞれ、２つの反転器６０２ａ、６０２ｂの各入力（入力０、入力ｌ）６０１ａ、６０１ｂに適用される。フィルタ３１２は、反転器６０２ａ、６０２ｂからの出力６０３ａ、６０３ｂを差分的に結合する。差分的に結合された信号３１３は次に、アンテナ３１４を介して送信される。１．５ビットの論理演算のために必要となる第３の論理レベルを発生させるために、反転器６０２ａおよび６０２ｂの両方の入力６０１ａおよび６０１ｂは、同じ信号により駆動される。ＤＰＡ３１０において随意的に、モデムからの電力制御コマンドに基づき、電力制御機能を実行することができる。
【００２７】
図７は、本発明の一実施形態によるデジタル極変調送信機７００のブロック図である。モデム（示されない）からのシンボル出力は、複数ビットの振幅（ｒ）信号７０１ａおよび複数ビットの位相（θ）信号７０１ｂをもつ極座標にて表される。送信機７００は、モデム（示されない）から複数ビットの振幅信号７０１ａおよび複数ビットの位相信号７０１ｂを受信し、そして１ビット（または１．５ビット）のデジタル論理信号をアンテナ７１６に接続されたフィルタ７１４へ出力する。送信機７００は、定包絡線信号および非定包絡線信号を増幅することができ、かつ全て標準のデジタル回路技術から構築することができる。
【００２８】
図７を参照すると送信機７００は、符号化器７０２、ＦＩＦＯメモリ７０４、ＤＰＭ７０６、ＤＵＣ７０８、振幅および位相結合器７１０、およびＤＰＡ７１２を含む。符号化器７０２は、モデム（示されない）からの複数ビットの振幅信号７０１ａを受信し、そして複数ビットの振幅信号７０１ａを高速の１ビット論理信号７０３に変換する。符号化器７０２は、デルタ変調器、シグマ・デルタ変調器、パルス幅変調器、パルス位置変調器、パルス持続時間変調器、または他の何れの変調器であってもよい。符号化器７０２は随意的に、モデム（示されない）からのＴＰＣコマンドに基づき、ＴＰＣ機能を実行することができる。
【００２９】
複数ビットの位相信号７０１ｂは、ＤＰＭ７０６を駆動するために使用される。ＤＰＭ７０６は、複数ビットの位相信号７０１ｂを使用して搬送波の位相変調を実行し、そして１ビット論理信号７０７を出力する。ＤＰＭ７０６は随意的に、モデム（示されない）からのチャンネル選択コマンドに基づき、チャンネル選択機能を実行し、特定のチャンネル周波数を選択することができる。ＤＰＭ７０６は、ＤＤＳ（Ｄｉｒｅｃｔ  Ｄｉｇｉｔａｌ  Ｓｙｎｔｈｅｓｉｚｅｒ：直接デジタル合成器）、ＰＬＬ（Ｐｈａｓｅ  Ｌｏｃｋｅｄ  Ｌｏｏｐ：位相同期回路）／ＶＣＯ（Ｖｏｌｔａｇｅ  Ｃｏｎｔｒｏｌｌｅｄ  Ｏｓｃｉｌｌａｔｏｒ：電圧制御発振器）、または同様のものにより実施することができる。
【００３０】
図７に示されるように、ＤＰＭ７０６からの１ビット論理信号７０７は次に、ＤＵＣ７０８に供給される。ＤＵＣ７０８は、ＤＰＭ７０６からの１ビット論理信号を高周波数信号（１ビット論理信号）にアップコンバートする。ＤＵＣ７０８は、イメージ抑制（ｉｍａｇｅ  ｓｕｐｐｒｅｓｓｉｎｇ）（すなわち単側波帯）、または非イメージ抑制（すなわち、両側波帯）の何れかとして分類することができる。図５の排他的論理和（ＸＯＲ）ゲート５００は、ＤＵＣ７０８として使用することができる。ＤＵＣ７０８は随意的に、モデムからのＴＰＣコマンドに基づき、ＴＰＣ機能を任意に実行することができる。
【００３１】
符号化器７０２からの１ビット論理信号７０３は、ＦＩＦＯメモリ７０４に供給される。ＦＩＦＯメモリ７０４の出力７０５は、振幅および位相結合器７１０に接続される。ＦＩＦＯメモリ７０４は、符号化器７０２によって処理された振幅信号を、ＤＰＭ７０６およびＤＵＣ７０８によって処理された位相信号と整合させる。
【００３２】
ＤＵＣ７０８からの１ビット論理信号７０９中に含まれる位相情報は次に、ＦＩＦＯメモリ７０４によって出力された１ビット論理信号７０５中に含まれる振幅情報と結合される。振幅および位相結合器７１０が１ビット（または１．５ビット）の論理信号７１１を出力する。振幅および位相結合器７１０としては、１ビットの乗数器、ＸＯＲゲート、多重化器、または同様のものを使用することができる。
【００３３】
結合器出力７１１は、ＤＰＡ７１２を駆動するために使用される。ＤＰＡ７１２は、振幅および位相結合器７１０からの出力７１１に基づき、１ビット（または１．５ビット）のＲＦ信号７１３を発生させる。ＤＰＡ７１２は、論理ゲート、多重化器のような刻時制御の論理素子、切替器、または切替器形態のアナログ増幅器から構築することができる。図６のＤＰＡ６００を使用することができる。
【００３４】
あるいはまた、振幅および位相結合器７１０の後に、ＤＵＣ７０８を置くことができる。
【００３５】
本発明は、限定するものではなく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元アクセス）、ＴＤＤ（Ｔｉｍｅ  Ｄｉｖｉｓｉｏｎ  Ｄｕｐｌｅｘ：時分割複信）、ＨＣＲ（Ｈｉｇｈ  Ｃｈｉｐ  Ｒａｔｅ：高チップ速度）、ＬＣＲ（Ｌｏｗ  Ｃｈｉｐ  Ｒａｔｅ：低チップ速度）、ＴＤＳ−ＣＤＭＡ（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）、ＦＤＤ（Ｆｒｅｑｕｅｎｃｙ  Ｄｉｖｉｓｉｏｎ  Ｄｕｐｌｅｘ：周波数分割複信）、ＣＤＭＡ２０００、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＰＲＳ（Ｇｌｏｂａｌ  Ｐａｃｋｅｔ  Ｒａｄｉｏ  Ｓｅｒｖｉｃｅ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）、ＭＩＭＯ（Ｍｕｌｔｉｐｌｅ−Ｉｎｐｕｔ  Ｍｕｌｔｉｐｌｅ−Ｏｕｔｐｕｔ：多入力多出力）、または他の如何なる種別の無線通信システムを含む何れの種別の無線通信システムにおいても実施することができる。
【００３６】
送信機は、ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）、または基地局（ｂａｓｅ  ｓｔａｔｉｏｎ）に含むことができる。用語「ＷＴＲＵ」は、限定するものではないが、ＵＥ（Ｕｓｅｒ  Ｅｑｕｉｐｍｅｎｔ：ユーザ設備）、移動端末（ｍｏｂｉｌｅ  ｓｔａｔｉｏｎ）、固定または移動体の加入者ユニット、ページャ、携帯電話、ＰＤＡ（Ｐｅｒｓｏｎａｌ  Ｄｉｇｉｔａｌ  Ａｓｓｉｓｔａｎｔ：携帯情報端末）、コンピュータ、または無線環境において動作することが可能な他のいかなる種別のユーザのデバイスをも含む。用語「基地局（ｂａｓｅ  ｓｔａｔｉｏｎ）」は、限定するものではないが、ノードＢ（Ｎｏｄｅ−Ｂ）、サイト制御装置、ＡＰ（Ａｃｃｅｓｓ・Ｐｏｉｎｔ：アクセス・ポイント）、または無線環境において動作することが可能な他の如何なる種別のインタフェース・デバイスをも含む。
【００３７】
実施形態
１．Ｉ信号およびＱ信号から１ビット論理信号群を発生させるための符号化器を具備するデジタル送信機。
【００３８】
２．直交Ｉ／Ｑ変調のための前記１ビット論理信号群を多重化するためのＳＢＤＭを具備する実施形態１のデジタル送信機。
【００３９】
３．前記多重化された１ビット論理信号をアップコンバートし、アップコンバートされた信号を発生させるためのＤＵＣを具備する実施形態１のデジタル送信機。
【００４０】
４．前記アップコンバートされた信号に基づき、ＲＦ信号を発生させるためのＤＰＡを具備する実施形態３のデジタル送信機。
【００４１】
５．モデムからのチャンネル選択コマンドに基づき、送信のための周波数チャンネルを選択するためのデジタル・チャンネル化ユニットを具備する実施形態１〜４の何れかのようなデジタル送信機。
【００４２】
６．前記符号化器が、デルタ変調器、シグマ・デルタ変調器、パルス幅変調器、パルス位置変調器、およびパルス持続時間変調器の内の１つである実施形態１〜５の何れかのようなデジタル送信機。
【００４３】
７．前記符号化器が、モデムからのＴＰＣコマンドに基づき、ＴＰＣ機能を実施する実施形態１〜６の何れかのようなデジタル送信機。
【００４４】
８．前記ＤＵＣが、１ビット論理信号を出力する実施形態３〜７の何れかのようなデジタル送信機。
【００４５】
９．前記ＤＵＣが、１．５ビット論理信号を出力する実施形態３〜７の何れかのようなデジタル送信機。
【００４６】
１０．前記ＳＢＤＭが、モデムからのチャンネル選択コマンドに基づき、チャンネル選択機能を実行する実施形態２〜９の何れかのようなデジタル送信機。
【００４７】
１１．前記ＳＢＤＭが、前記１ビット論理信号群を多重化するための４対１多重化器である実施形態２〜１０の何れかのようなデジタル送信機。
【００４８】
１２．前記符号化器が、前記１ビット論理信号群の正および反転された形態の両方を出力し、かつ前記４対１多重化器が、Ｉ、Ｑ、−Ｉ、−Ｑ信号の繰り返し順序を含む前記１ビット論理信号を出力する実施形態１１のデジタル送信機。
【００４９】
１３．前記ＤＵＣが、単側波帯処理装置である実施形態２〜１２の何れかのようなデジタル送信機。
【００５０】
１４．前記ＤＵＣが、両側波帯処理装置である実施形態２〜１２の何れかのようなデジタル送信機。
【００５１】
１５．前記ＤＵＣが、前記多重化された１ビット論理信号および刻時信号のＸＯＲ演算を実行するＸＯＲゲートである実施形態１４のデジタル送信機。
【００５２】
１６．前記ＤＵＣが、モデムからの電力制御コマンドに基づき、ＴＰＣ機能を実行する実施形態２〜１５の何れかのようなデジタル送信機。
【００５３】
１７．前記ＤＰＡが、デジタル的に制御される複数の反転器を具備する実施形態４〜１６の何れかのようなデジタル送信機。
【００５４】
１８．前記ＤＰＡが、１ビット論理演算を実施し、かつ前記アップコンバートされた信号の正および反転された形態がそれぞれ２つの反転器の各入力に適用される実施形態１７のデジタル送信機。
【００５５】
１９．前記ＤＰＡが、１．５ビット論理演算を実施し、かつ２つの反転器の両方の入力が、前記アップコンバートされた信号により駆動される実施形態１７のデジタル送信機。
【００５６】
２０．前記反転器への電圧供給が、前記ＤＰＡの利得を制御するように制御される実施形態１７のデジタル送信機。
【００５７】
２１．前記ＤＰＡが、モデムからの電力制御コマンドに基づき、電源制御機能を実行する実施形態４〜２０の何れかのようなデジタル送信機。
【００５８】
２２．モデムから受信された振幅信号を第１の１ビット論理信号に変換するための符号化器を具備するデジタル送信機。
【００５９】
２３．前記モデムから受信された位相信号を使用して搬送波を変調し、第２の１ビット論理信号を発生させるためのＤＰＭを具備する実施形態２２のデジタル送信機。
【００６０】
２４．前記第２の１ビット論理信号をアップコンバートするためのＤＵＣを具備する実施形態２３のデジタル送信機。
【００６１】
２５．前記第１の１ビット論理信号を格納し、かつ前記符号化器によって処理された前記振幅信号を前記ＤＰＭおよび前記ＤＵＣによって処理された前記位相信号と整合させるためのＦＩＦＯメモリを具備する実施形態２４のデジタル送信機。
【００６２】
２６．前記第２の１ビット論理信号中に含まれる角度情報を、前記ＦＩＦＯメモリ中に格納された前記第１の１ビット論理信号中に含まれる振幅情報と結合し、かつ結合された信号を出力するための、振幅および位相結合器を具備する実施形態２５のデジタル送信機。
【００６３】
２７．前記結合された信号に基づき、ＲＦ信号を発生させるためのＤＰＡを具備する実施形態２６のデジタル送信機。
【００６４】
２８．前記ＤＰＭが、前記モデムからのチャンネル選択コマンドに基づき、チャンネル選択機能を実行し、特定のチャンネル周波数を選択する実施形態２３〜２７の何れかのようなデジタル送信機。
【００６５】
２９．前記ＤＰＭが、ＤＤＳおよびＰＬＬ／ＶＣＯの１つである実施形態２３〜２８の何れかのようなデジタル送信機。
【００６６】
３０．前記符号化器が、デルタ変調器、シグマ・デルタ変調器、パルス幅変調器、パルス位置変調器、およびパルス持続時間変調器の１つである実施形態２２〜２９の何れかのようなデジタル送信機。
【００６７】
３１．前記符号化器が、前記モデムからのＴＰＣコマンドに基づき、ＴＰＣ機能を実施する実施形態２２〜３０の何れかのようなデジタル送信機。
【００６８】
３２．前記ＤＵＣが、１ビット論理信号を出力する実施形態２４〜３１の何れかのようなデジタル送信機。
【００６９】
３３．前記ＤＵＣが、単側波帯処理装置である実施形態２４〜３２の何れかのようなデジタル送信機。
【００７０】
３４．前記ＤＵＣが、両側波帯処理装置である実施形態２４〜３２の何れかのようなデジタル送信機。
【００７１】
３５．前記ＤＵＣが、位相変調された搬送波信号および刻時信号のＸＯＲ演算を実行するＸＯＲゲートである実施形態３４のデジタル送信機。
【００７２】
３６．前記ＤＵＣが、前記モデムからの電力制御コマンドに基づき、ＴＰＣ機能を実行する実施形態２４〜３５の何れかのようなデジタル送信機。
【００７３】
３７．前記ＤＰＡが、デジタル的に制御される複数の反転器を具備する実施形態２７〜３６の何れかのようなデジタル送信機。
【００７４】
３８．前記ＤＰＡが１ビット論理演算を実施し、かつ前記アップコンバートされた信号の正および反転された形態がそれぞれ２つの反転器の各入力に適用される実施形態３７のデジタル送信機。
【００７５】
３９．前記ＤＰＡが、１．５ビット論理演算を実施し、かつ２つの反転器の両方の入力が、前記アップコンバートされた信号により駆動される実施形態３７のデジタル送信機。
【００７６】
４０．前記反転器への電圧供給が、前記ＤＰＡの利得を制御するように制御される実施形態３７のデジタル送信機。
【００７７】
４１．前記ＤＰＡが、モデムからの電力制御コマンドに基づき、電源制御機能を実行する実施形態２７〜４０の何れかのようなデジタル送信機。
【００７８】
４２．前記振幅および位相結合器が、１ビット乗算器、ＸＯＲゲート、および多重化器の１つである実施形態２６〜４１の何れかのようなデジタル送信機。
【００７９】
４３．モデムから受信された振幅信号を第１の１ビット論理信号に変換するための符号化器を具備するデジタル送信機。
【００８０】
４４．前記モデムから受信された位相信号を使用して搬送波を変調し、第２の１ビット論理信号を発生させるためのＤＰＭを具備する実施形態４３のデジタル送信機。
【００８１】
４５．前記第１の１ビット論理信号を格納し、かつ前記符号化器によって処理された前記振幅信号を前記ＤＰＭによって処理された前記位相信号と整合させるためのＦＩＦＯメモリを具備する実施形態４４のデジタル送信機。
【００８２】
４６．前記第２の１ビット論理信号中に含まれる角度情報を、前記ＦＩＦＯメモリ中に格納された前記第１の１ビット論理信号中に含まれる振幅情報と結合し、かつ結合された信号を出力するための、振幅および位相結合器を具備する実施形態４５のデジタル送信機。
【００８３】
４７．前記結合された信号をアップコンバートするためのＤＵＣを具備する実施形態４６のデジタル送信機。
【００８４】
４８．前記アップコンバートされた結合された信号に基づき、ＲＦ信号を発生させるためのＤＰＡを具備する実施形態４７のデジタル送信機。
【００８５】
４９．デジタル送信機により信号を送信するための方法。
【００８６】
５０．Ｉ信号およびＱ信号から１ビット論理信号群を発生させるステップを具備する実施形態４９の方法。
【００８７】
５１．直交Ｉ／Ｑ変調のために前記１ビット論理信号群を多重化するステップを具備する実施形態５０の方法。
【００８８】
５２．前記多重化された１ビット論理信号をアップコンバートし、アップコンバートされた信号を発生させるステップを具備する実施形態５１の方法。
【００８９】
５３．前記アップコンバートされた信号に基づき、ＲＦ信号を発生させるステップを具備する実施形態５２の方法。
【００９０】
５４．モデムからのチャンネル選択コマンドに基づき、送信のための周波数チャンネルを選択するステップをさらに具備する実施形態４９〜５３の何れかのような方法。
【００９１】
５５．前記１ビットの信号群が多重化される間に、前記周波数チャンネルが選択される実施形態５４の方法。
【００９２】
５６．前記１ビットの信号群が発生される前に、前記周波数チャンネルが選択される実施形態５４の方法。
【００９３】
５７．モデムからのＴＰＣコマンドに基づき、ＴＰＣ機能を実行するステップをさらに具備する実施形態４９〜５６の何れかのような方法。
【００９４】
５８．前記１ビット論理信号群が発生される間に、前記ＴＰＣ機能が実行される実施形態５７の方法。
【００９５】
５９．前記多重化された１ビット論理信号がアップコンバートされる間に、前記ＴＰＣ機能が実行される実施形態５８の方法。
【００９６】
６０．前記ＲＦ信号が発生される間に、前記ＴＰＣ機能が実行される実施形態５８の方法。
【００９７】
６１．モデムから受信された振幅信号を第１の１ビット論理信号に変換するステップを具備する実施形態４９の方法。
【００９８】
６２．前記モデムから受信された位相信号を使用して搬送波を変調し、第２の１ビット論理信号を発生させるステップを具備する実施形態６１の方法。
【００９９】
６３．前記第２の１ビット論理信号をアップコンバートするステップを具備する実施形態６２の方法。
【０１００】
６４．前記振幅信号を前記位相信号に整合させるために、ＦＩＦＯメモリ中に前記第１の１ビット論理信号を格納するステップを具備する実施形態６３の方法。
【０１０１】
６５．前記第２の１ビット論理信号中に含まれる角度情報を、前記ＦＩＦＯメモリ中に格納された前記第１の１ビット論理信号中に含まれる振幅情報と結合し、結合された信号を発生させるステップを具備する実施形態６４の方法。
【０１０２】
６６．前記結合された信号に基づき、ＲＦ信号を発生させるステップを具備する実施形態６５の方法。
【０１０３】
６７．前記搬送波を変調している間に、前記モデムからのチャンネル選択コマンドに基づき、チャンネル選択機能を実行し特定のチャンネル周波数を選択するステップをさらに具備する実施形態６１〜６６の何れかのような方法。
【０１０４】
６８．前記モデムからのＴＰＣコマンドに基づき、ＴＰＣ機能を実行するステップをさらに具備する実施形態６１〜６７の何れかのような方法。
【０１０５】
６９．前記第１の１ビット論理信号が発生される間に、前記ＴＰＣ機能が実行される実施形態６８の方法。
【０１０６】
７０．前記ＲＦ信号が発生される間に、前記ＴＰＣ機能が実行される実施形態６８の方法。
【０１０７】
７１．モデムから受信された振幅信号を第１の１ビット論理信号に変換するステップを具備する実施形態４９の方法。
【０１０８】
７２．前記モデムから受信された位相信号を使用して搬送波を変調し、第２の１ビット論理信号を発生させるステップを具備する実施形態７１の方法。
【０１０９】
７３．前記第１の１ビット論理信号を格納し、かつ前記振幅信号を前記位相信号に整合させるステップを具備する実施形態７２の方法。
【０１１０】
７４．前記第２の１ビット論理信号中に含まれる角度情報を、前記第１の１ビット論理信号中に含まれる振幅情報と結合し、かつ結合された信号を出力するステップを具備する実施形態７３の方法。
【０１１１】
７５．前記結合された信号をアップコンバートするステップを具備する実施形態７４の方法。
【０１１２】
７６．前記アップコンバートされた結合された信号に基づき、ＲＦ信号を発生させるステップを具備する実施形態７５の方法。
【０１１３】
本発明の特徴および要素が好適な実施形態において特定の組み合わせにて記述されているが、それぞれの特徴または要素は、好適な実施形態の他の特徴および要素なしで単独にて、または本発明の他の特徴および要素のあるなしにかかわらず、様々な組み合わせにて使用可能である。本発明において提供された方法またはフロー図は、汎用目的のコンピュータまたは処理装置による実行のためのコンピュータにて読み込み可能な記憶媒体にて実体的に具現化されたコンピュータ・プログラム、ソフトウェア、またはファームウェアにて実施することができる。コンピュータにて読み込み可能な記憶媒体の例としては、ＲＯＭ（Ｒｅａｄ  Ｏｎｌｙ  Ｍｅｍｏｒｙ：読み出し専用メモリ）、ＲＡＭ（Ｒａｎｄｏｍ  Ａｃｃｅｓｓ  Ｍｅｍｏｒｙ：ランダム・アクセス・メモリ）、レジスタ、キャッシュ・メモリ、半導体記憶デバイス、内蔵ハード・ディスクおよび着脱可能ディスクなどの磁気媒体、磁気−光学媒体、およびＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【０１１４】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【０１１５】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザ設備）、端末、基地局、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピュータにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオカメラ・モジュール、テレビ電話、スピーカフォン、振動デバイス、スピーカ、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調）された無線ユニット、ＬＣＤ（Ｌｉｑｕｉｄ  Ｃｒｙｓｔａｌ  Ｄｉｓｐｌａｙ：液晶）表示装置、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤ、メディア・プレーヤ、テレビゲーム・プレーヤ・モジュール、インターネット・ブラウザ、および／または任意のＷＬＡＮ（Ｗｉｒｅｌｅｓｓ  Ｌｏｃａｌ  Ａｒｅａ  Ｎｅｔｗｏｒｋ：無線ローカル・エリア・ネットワーク）モジュールなどのモジュールと連動して使用することができる。
【図面の簡単な説明】
【０１１６】
【図１Ａ】従来のアナログ直交変調の、直接変換送信機を示す図である。
【図１Ｂ】従来の定包絡線の、アナログ極変調送信機を示す図である。
【図１Ｃ】従来の定包絡線の、デジタル極変調送信機を示す図である。
【図１Ｄ】従来の非定包絡線の、アナログ極変調送信機を示す図である。
【図１Ｅ】従来の非定包絡線の、アナログ極変調送信機を示す図である。
【図１Ｆ】従来の非定包絡線の、デジタル直交変調送信機を示す図である。
【図１Ｇ】従来の非定包絡線の、デジタル極変調送信機を示す図である。
【図２】本発明による送信機の機能的ブロック図である。
【図３】本発明によるデジタル直交変調送信機のブロック図である。
【図４】本発明による図３の送信機において使用される代表的ＳＢＤＭを示す図である。
【図５】本発明による代表的ＤＵＣを示す図である。
【図６】本発明による代表的ＤＰＡを示す図である。
【図７】本発明によるデジタル極変調送信機のブロック図である。
【図１Ａ】
2009530914.tif 000003
【図１Ｂ】
2009530914.tif 000004
【図１Ｃ】
2009530914.tif 000005
【図１Ｄ】
2009530914.tif 000006
【図１Ｅ】
2009530914.tif 000007
【図１Ｆ】
2009530914.tif 000008
【図１Ｇ】
2009530914.tif 000009
【図２】
2009530914.tif 000010
【図３】
2009530914.tif 000011
【図４】
2009530914.tif 000012
【図５】
2009530914.tif 000013
【図６】
2009530914.tif 000014
【図７】
2009530914.tif 000015
【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
モデムから受信された振幅信号を第１の１ビット論理信号に変換するための符号化器と、
前記モデムから受信された位相信号を使用して搬送波を変調し、第２の１ビット論理信号を発生させるためのＤＰＭ（Ｄｉｇｉｔａｌ  Ｐｈａｓｅ  Ｍｏｄｕｌａｔｏｒ：デジタル位相変調器）と、
前記第２の１ビット論理信号をアップコンバートするためのＤＵＣ（Ｄｉｇｉｔａｌ  ＵｐＣｏｎｖｅｒｔｅｒ：デジタル・アップコンバータ）と、
前記第１の１ビット論理信号を格納し、かつ前記符号化器によって処理された前記振幅信号を前記ＤＰＭおよび前記ＤＵＣによって処理された前記位相信号と整合させるためのＦＩＦＯ（Ｆｉｒｓｔ−Ｉｎ  Ｆｉｒｓｔ−Ｏｕｔ：先入れ先出し）メモリと、
前記第２の１ビット論理信号中に含まれる角度情報を、前記ＦＩＦＯメモリ中に格納された前記第１の１ビット論理信号中に含まれる振幅情報と結合し、かつ結合された信号を出力するための、振幅および位相結合器と、
前記結合された信号に基づき、ＲＦ（Ｒａｄｉｏ  Ｆｒｅｑｕｅｎｃｙ：無線周波数）信号を発生させるためのＤＰＡ（Ｄｉｇｉｔａｌ  Ｐｏｗｅｒ  Ａｍｐｌｉｆｉｅｒ：デジタル電力増幅器）と
を具備することを特徴とするデジタル送信機。
【請求項２】
前記ＤＰＭが、前記モデムからのチャンネル選択コマンドに基づき、特定のチャンネル周波数を選択することを特徴とする請求項１に記載のデジタル送信機。
【請求項３】
前記ＤＰＭが、ＤＤＳ（Ｄｉｒｅｃｔ  Ｄｉｇｉｔａｌ  Ｓｙｎｔｈｅｓｉｚｅｒ：直接デジタル合成器）およびＰＬＬ（Ｐｈａｓｅ  Ｌｏｃｋｅｄ  Ｌｏｏｐ：位相同期回路）／ＶＣＯ（Ｖｏｌｔａｇｅ  Ｃｏｎｔｒｏｌｌｅｄ  Ｏｓｃｉｌｌａｔｏｒ：電圧制御発振器）の１つであることを特徴とする請求項１に記載のデジタル送信機。
【請求項４】
前記符号化器が、デルタ変調器、シグマ・デルタ変調器、パルス幅変調器、パルス位置変調器、およびパルス持続時間変調器の１つであることを特徴とする請求項１に記載のデジタル送信機。
【請求項５】
前記符号化器が、前記モデムからのＴＰＣ（Ｔｒａｎｓｍｉｔ  Ｐｏｗｅｒ  Ｃｏｎｔｒｏｌ：送信電力制御）コマンドに基づき、ＴＰＣ機能を実施することを特徴とする請求項１に記載のデジタル送信機。
【請求項６】
前記ＤＵＣが、１ビット論理信号を出力することを特徴とする請求項１に記載のデジタル送信機。
【請求項７】
前記ＤＵＣが、単側波帯処理装置であることを特徴とする請求項１に記載のデジタル送信機。
【請求項８】
前記ＤＵＣが、両側波帯処理装置であることを特徴とする請求項１に記載のデジタル送信機。
【請求項９】
前記ＤＵＣが、位相変調された搬送波信号および刻時信号のＸＯＲ（ｅＸｃｌｕｓｉｖｅ  ＯＲ：排他的論理和）演算を実行するＸＯＲゲートであることを特徴とする請求項８に記載のデジタル送信機。
【請求項１０】
前記ＤＵＣが、前記モデムからの電力制御コマンドに基づき、ＴＰＣ機能を実行することを特徴とする請求項１に記載のデジタル送信機。
【請求項１１】
前記ＤＰＡが、デジタル的に制御される複数の反転器を具備することを特徴とする請求項１に記載のデジタル送信機。
【請求項１２】
前記ＤＰＡが１ビット論理演算を実施し、かつ前記アップコンバートされた信号の正および反転された形態がそれぞれ２つの反転器の各入力に適用されることを特徴とする請求項１１に記載のデジタル送信機。
【請求項１３】
前記ＤＰＡが、１．５ビット論理演算を実施し、かつ２つの反転器の両方の入力が、前記アップコンバートされた信号により駆動されることを特徴とする請求項１１に記載のデジタル送信機。
【請求項１４】
前記反転器への電圧供給が、前記ＤＰＡの利得を制御するように制御されることを特徴とする請求項１１に記載のデジタル送信機。
【請求項１５】
前記ＤＰＡが、モデムからの電力制御コマンドに基づき、電源制御機能を実行することを特徴とする請求項１に記載のデジタル送信機。
【請求項１６】
前記振幅および位相結合器が、１ビット乗算器、ＸＯＲ（ｅＸｃｌｕｓｉｖｅ  ＯＲ：排他的論理和）ゲート、および多重化器の１つであることを特徴とする請求項１に記載のデジタル送信機。
【請求項１７】
モデムから受信された振幅信号を第１の１ビット論理信号に変換するための符号化器と、
前記モデムから受信された位相信号を使用して搬送波を変調し、第２の１ビット論理信号を発生させるためのＤＰＭ（Ｄｉｇｉｔａｌ  Ｐｈａｓｅ  Ｍｏｄｕｌａｔｏｒ：デジタル位相変調器）と、
前記第１の１ビット論理信号を格納し、かつ前記符号化器によって処理された前記振幅信号を前記ＤＰＭによって処理された前記位相信号と整合させるためのＦＩＦＯ（Ｆｉｒｓｔ−Ｉｎ  Ｆｉｒｓｔ−Ｏｕｔ：先入れ先出し）メモリと、
前記第２の１ビット論理信号中に含まれる角度情報を、前記ＦＩＦＯメモリ中に格納された前記第１の１ビット論理信号中に含まれる振幅情報と結合し、かつ結合された信号を出力するための、振幅および位相結合器と、
前記結合された信号をアップコンバートするためのＤＵＣ（Ｄｉｇｉｔａｌ  ＵｐＣｏｎｖｅｒｔｅｒ：デジタル・アップコンバータ）と、
前記アップコンバートされた結合された信号に基づき、ＲＦ（Ｒａｄｉｏ  Ｆｒｅｑｕｅｎｃｙ：無線周波数）信号を発生させるためのＤＰＡ（Ｄｉｇｉｔａｌ  Ｐｏｗｅｒ  Ａｍｐｌｉｆｉｅｒ：デジタル電力増幅器）と
を具備することを特徴とするデジタル送信機。
【請求項１８】
モデムから受信された振幅信号を第１の１ビット論理信号に変換するステップと、
前記モデムから受信された位相信号を使用して搬送波を変調し、第２の１ビット論理信号を発生させるステップと、
前記第２の１ビット論理信号をアップコンバートするステップと、
前記振幅信号を前記位相信号に整合させるために、ＦＩＦＯ（Ｆｉｒｓｔ−Ｉｎ  Ｆｉｒｓｔ−Ｏｕｔ：先入れ先出し）メモリ中に前記第１の１ビット論理信号を格納するステップと、
前記第２の１ビット論理信号中に含まれる角度情報を、前記ＦＩＦＯメモリ中に格納された前記第１の１ビット論理信号中に含まれる振幅情報と結合し、結合された信号を発生させるステップと、
前記結合された信号に基づき、ＲＦ（Ｒａｄｉｏ  Ｆｒｅｑｕｅｎｃｙ：無線周波数）信号を発生させるステップと
を具備することを特徴とするデジタル送信機により信号を送信するための方法。
【請求項１９】
前記搬送波を変調している間に、前記モデムからのチャンネル選択コマンドに基づき、チャンネル選択機能を実行し特定のチャンネル周波数を選択するステップ
をさらに具備することを特徴とする請求項１７に記載の方法。
【請求項２０】
前記モデムからのＴＰＣ（Ｔｒａｎｓｍｉｔ  Ｐｏｗｅｒ  Ｃｏｎｔｒｏｌ：送信電力制御）コマンドに基づき、ＴＰＣ機能を実行するステップ
をさらに具備することを特徴とする請求項１７に記載の方法。
【請求項２１】
前記第１の１ビット論理信号が発生される間に、前記ＴＰＣ機能が実行されることを特徴とする請求項１９に記載の方法。
【請求項２２】
前記ＲＦ信号が発生される間に、前記ＴＰＣ機能が実行されることを特徴とする請求項１９に記載の方法。
【請求項２３】
モデムから受信された振幅信号を第１の１ビット論理信号に変換するステップと、
前記モデムから受信された位相信号を使用して搬送波を変調し、第２の１ビット論理信号を発生させるステップと、
前記第１の１ビット論理信号を格納し、かつ前記振幅信号を前記位相信号に整合させるステップと、
前記第２の１ビット論理信号中に含まれる角度情報を、前記第１の１ビット論理信号中に含まれる振幅情報と結合し、かつ結合された信号を出力するステップと
前記結合された信号をアップコンバートするステップと、
前記アップコンバートされた結合された信号に基づき、ＲＦ（Ｒａｄｉｏ  Ｆｒｅｑｕｅｎｃｙ：無線周波数）信号を発生させるステップと
を具備することを特徴とするデジタル送信機により信号を送信するための方法。
【国際調査報告】
2009530914.tif 000016
2009530914.tif 000017
2009530914.tif 000018